(57)【要約】  本発明は、ミラー、特に、ファセットミラーの製造方法と、本発明に係るミラーを備える投影露光装置の製造方法とに関する。
2010519725.tif 000002
【特許請求の範囲】
【請求項１】
運搬素子上に配置されたミラーファセット（１１０）を有するファセットミラーを有する投影露光装置であって、前記ミラーファセット（１１０）は、２ｍｍ未満、特に、０．２ｍｍ〜１．２ｍｍの範囲の厚みを有することを特徴とする、ＥＵＶ投影露光装置。
【請求項２】
前記ミラーファセット（１１０）は、２〜１０μｍ、特に、３〜７μｍの範囲内の厚さを有する半田層により前記運搬素子に結合されていることを特徴とする、請求項１に記載のＥＵＶ投影露光装置。
【請求項３】
前記ミラーファセット（１１０）は、シリコン酸化物ブリッジを含む無機層によって前記運搬素子に結合されることを特徴とする、請求項１に記載のＥＵＶ投影露光装置。
【請求項４】
前記ミラーファセット（１１０）は、ボンディング層や接着層によって、前記運搬素子に結合されることを特徴とする、請求項１に記載のＥＵＶ投影露光装置。
【請求項５】
前記ミラーファセット（１１０）は、特に、Ｍｏ／Ｓｉ二重層で構成される多重層（２２５）の反射表面を有することを特徴とする、請求項１に記載のＥＵＶ投影露光装置。
【請求項６】
前記多重層（２２５）は、１０層〜８０層、特に、５０層の二重層を有し、前記Ｍｏ／Ｓｉ二重層の厚さは６．８〜１５ｎｍであり、前記Ｍｏ層の厚さは１．３〜１２ｎｍであることを特徴とする、請求項１に記載のＥＵＶ投影露光装置。
【請求項７】
前記二重層全体の厚さは多重層（２２５）のレイヤコースに対して直角に変化することを特徴とする、請求項５または６のいずれかに記載のＥＵＶ投影露光装置。
【請求項８】
前記運搬素子は、大部分が基体（１００）上に配置された中間部分として形成されることを特徴とする、請求項１から７のいずれか一項に記載のＥＵＶ投影露光装置。
【請求項９】
少なくとも２つの前記ミラーファセット（１１０）は、共通かつ一体の基体（１００）に、運搬素子として結合されることを特徴とする、請求項１から８のいずれか一項に記載のＥＵＶ投影露光装置。
【請求項１０】
前記基体（１００）は、前記ミラーファセット（１１０）または前記中間部分を受容するために異なる方向に向けられた領域を有することを特徴とする、請求項９に記載のＥＵＶ投影露光装置。
【請求項１１】
前記ファセットミラーの前記ミラーファセット（１１０）のすべては、前記共通かつ一体の基体（１００）上に配置されることを特徴とする、請求項１から１０のいずれか一項に記載のＥＵＶ投影露光装置。
【請求項１２】
前記基体（１００）は、コーティングされていない前記ミラーファセット（１１０）と同様の素材により構成されることを特徴とする、請求項９から１１のいずれか一項に記載のＥＵＶ投影露光装置。
【請求項１３】
前記基体（１００）は少なくとも一部はＳｉで構成されることを特徴とする、請求項９から１２のいずれか一項に記載のＥＵＶ投影露光装置。
【請求項１４】
前記ミラーファセット（１１０）は、更に、ＨＳＦＲ（Ｈｉｇｈ  Ｓｐａｔｉａｌ  Ｆｒｅｑｕｅｎｃｙ）の範囲において、表面粗さを０．５ｎｍ  ｒｍｓ未満、好ましくは０．２ｎｍ  ｒｍｓ未満とすることができる、光学研磨可能な素材により構成され、前記運搬素子（２００）は、少なくとも１００Ｗ／（ｍｋ）の熱伝導を有する素材、特に、金属素材により構成されることを特徴とする、請求項１から１１のいずれか一項に記載のＥＵＶ投影露光装置。
【請求項１５】
前記ミラーファセット（１１０）はＳｉ，ＳｉＯ２，ＮｉＰまたはＮｉＰ被覆金属またはＳｉＣなどを含有することを特徴とする、請求項１から１４のいずれか一項に記載のＥＵＶ投影露光装置。
【請求項１６】
前記ファセットミラーは、前記ＥＵＶ投影露光装置の照明系に配置されることを特徴とする、請求項１から１５のいずれか一項に記載のＥＵＶ投影露光装置。
【請求項１７】
特に、溝として形成される空洞は、前記ミラーファセット（１１０）と前記運搬素子（２００）との間の領域に形成されることを特徴とする、請求項１から１６のいずれか一項に記載のＥＵＶ投影露光装置。
【請求項１８】
前記空洞は冷却線（２３５）に結合されていることを特徴とする、請求項１７に記載のＥＵＶ投影露光装置。
【請求項１９】
運搬素子（２００）上に配置された、少なくとも一つのミラー素子（２１０）を有する投影露光装置であって、前記ミラー素子（２１０）は、光学研磨可能な素材により構成され、ＨＳＦＲ領域において、表面粗さを０．５ｎｍ  ｒｍｓ、好適には、０．２ｎｍ  ｒｍｓとされることができ、また、前記運搬素子（２００）は、少なくとも１００Ｗ／（ｍｋ）の熱伝導を有する素材、特に、金属素材またはＳｉＣにより構成されることを特徴とする、ＥＵＶ投影露光装置。
【請求項２０】
前記ミラー素子（２１０）は、前記装置の照明システム内に配置されたファセットミラーの部品として形成されたミラーファセット（２１０）であることを特徴とする、請求項１９に記載のＥＵＶ投影露光装置。
【請求項２１】
前記ミラー素子（２１０）は、Ｓｉを含有することを特徴とする、請求項１９または２０に記載のＥＵＶ投影露光装置。
【請求項２２】
前記ミラー素子（２１０）は、ニッケル被覆鋼鉄体として形成されることを特徴とする、請求項１９または２０に記載のＥＵＶ投影露光装置。
【請求項２３】
前記ミラー素子（２１０）は、０．２〜５ｍｍの範囲、好適には、１〜３ｍｍの範囲の厚さを有することを特徴とする、請求項１９から２２のいずれか一項に記載のＥＵＶ投影露光装置。
【請求項２４】
前記運搬素子（２００）は運搬体（２２０）上に配置可能であり、可動、特に、前記運搬体（２２０）に対して傾斜可能に設けられることを特徴とする、請求項１９から２３のいずれか一項に記載のＥＵＶ投影露光装置。
【請求項２５】
前記運搬素子（２００）及び前記運搬体（２２０）は、同一の素材から形成されることを特徴とする請求項２４に記載のＥＵＶ投影露光装置。
【請求項２６】
前記運搬素子（２００）は、インバー（ｉｎｖａｒ）、ＣｕまたはＡｌから形成されることを特徴とする、請求項１９から２５のいずれか一項に記載のＥＵＶ投影露光装置。
【請求項２７】
前記ミラー素子（２１０）及び前記運搬素子（２００）を、相互に半田結合で結合することを特徴とする、請求項１９から２６のいずれか一項に記載のＥＵＶ投影露光装置。
【請求項２８】
前記ミラー素子（２１０）は、前記運搬素子（２００）に、シリコン酸化物ブリッジを含む無機層により結合されることを特徴とする、請求項１９から２６のいずれか一項に記載のＥＵＶ投影露光装置。
【請求項２９】
特に、溝として形成される空洞が、前記ミラー素子（２１０）と前記運搬素子（２００）との間の領域に形成されることを特徴とする、請求項１９から２８のいずれか一項に記載のＥＵＶ投影露光装置。
【請求項３０】
前記空洞は、冷却線（２３５）に結合されていることを特徴とする、請求項２９に記載のＥＵＶ投影露光装置。
【請求項３１】
前記ミラー素子（２１０）は、Ｖ字状または球状に形成されることを特徴とする、請求項１９から３０のいずれか一項に記載のＥＵＶ投影露光装置。
【請求項３２】
前記ミラー素子（２１０）は、２ｍｍ〜１５ｍｍ、好適には８ｍｍ〜１２ｍｍの範囲の直径を有する略環状の薄層であることを特徴とする、請求項１９から３０のいずれか一項に記載のＥＵＶ投影露光装置。
【請求項３３】
前記ミラー素子（２１０）及び運搬素子（２００）は、７０ＭＰａ未満の弾性係数を有する結合素材により構成された結合層によって相互に結合されることを特徴とする、請求項１９から３２のいずれか一項に記載のＥＵＶ投影露光装置。
【請求項３４】
前記ミラー素子（２１０）は、特に、Ｍｏ／Ｓｉ二重層により形成された多重層（２２５）を伴う反射表面を有することを特徴とする、請求項１９から３３のいずれか一項に記載のＥＵＶ投影露光装置。
【請求項３５】
前記多重層（２２５）は、約１０層〜８０層、特に５０層の二重層を有し、前記Ｍｏ／Ｓｉ二重層の厚さは６．８〜１５ｎｍであり、前記Ｍｏ層の厚さは１．３ｎｍ〜１２ｎｍであることを特徴とする、請求項３４に記載のＥＵＶ投影露光装置。
【請求項３６】
ファセットミラーのための、ミラーファセット（３、３’）と、ボトムファセット（４、４’）とにより構成される全ファセット（５）を製造するための方法であって、
前記ミラーファセット（３、３’）及び前記ボトムファセット（４、４’）は、それぞれの場合において互いに分離して製造され、前記ミラーファセット（３、３’）は、研磨表面（７）を有し、前記ボトムファセット（４、４’）によって基体（２）上に配置され、前記基体（２）の参照領域（８）に対する前記研磨表面（７）の角度方向はあらかじめ定められており、
必要とされる角度方向の精度を達成するために、前記ミラーファセット（３、３’）の角度方向の測定を最初に行い、ついで、前記ボトムファセット（４、４’）のを設け、
前記ミラーファセット（３、３’）を前記ボトムファセット（４、４’）に結合した後における、前記基体（２）の参照領域（８）に対する所定の角度方向が、所定精度で達成されるようにする
ことを特徴とする方法。
【請求項３７】
前記ボトムファセット（４、４’）は、角度測定によって、複数のあらかじめ製造されたボトムファセット（４、４’）から選択されることを特徴とする、請求項３６に記載の方法。
【請求項３８】
前記ボトムファセット（４、４’）は、前記ミラーファセット（３、３’）の構造に適合するように製造されることを特徴とする、請求項３６に記載の方法。
【請求項３９】
前記ボトムファセット（４、４’）と前記ミラーファセット（３、３’）はボンディング法によって相互に結合されることを特徴とする、請求項３６から３８のいずれか一項に記載の方法。
【請求項４０】
前記ボトムファセット（４、４’）は、ボンディング法によって、前記基体（２）に結合されることを特徴とする、請求項３６から３９のいずれか一項に記載の方法。
【請求項４１】
特に、前記基体（２）上に設置する前に、前記全ファセット（５）は、ボンディング法によりブロック（９）を形成するように結合されることを特徴とする、請求項３６から４０のいずれか一項に記載の方法。
【請求項４２】
前記ミラーファセット（３、３’）の研磨表面（７）の角度方向は、前記全ファセット（５）を結合して前記ブロック（９）を形成した後に測定されることを特徴とする、請求項４１に記載の方法。
【請求項４３】
前記ボトムファセット（４、４’）の前記ミラーファセット（３、３’）に面する領域の面積が、前記ミラーファセット（３、３’）の前記ボトムファセット（４、４’）に面する領域よりも大きいことを特徴とする、請求項３６から４２のいずれか一項に記載の方法。
【請求項４４】
前記基体（２）は、前記ミラーファセット（３、３’）又は前記ボトムファセット（４、４’）と同一の材料により構成されることを特徴とする、請求項３６から４３のいずれか一項に記載の方法。
【請求項４５】
前記ミラーファセット（３、３’）は、弓状に形成されることを特徴とする、請求項３６から４４のいずれか一項に記載の方法。
【請求項４６】
前記基体（２）、前記ミラーファセット（３、３’）、または、前記ボトムファセット（４、４’）は、シリコンを含有するように構成されることを特徴とする、請求項３６から４５のいずれか一項に記載の方法。
【請求項４７】
前記ミラーファセット（３、３’）は、２ｍｍ未満、特に、０．２ｍｍ〜１．２ｍｍの厚さを有することを特徴とする、請求項３６から４６のいずれか一項に記載の方法。
【請求項４８】
前記ミラーファセット（３、３’）は、高空間周波数範囲（ＨＳＦＲ）において０．５ｎｍ  ｒｍｓ、好適には０．２ｎｍ  ｒｍｓ未満の表面粗さが達成可能な、光学研磨可能な素材により形成され、また、前記ボトムファセット（４、４’）は、特に、金属素材のような、１００Ｗ／（ｍｋ）の熱伝導率を有する素材によって構成されることを特徴とする、請求項３６から４７のいずれか一項に記載の方法。
【請求項４９】
特に、溝として構成される空洞は、前記ミラーファセット（３、３’）と前記ボトムファセット（４、４’）との間の領域に形成されることを特徴とする、請求項３６から４８のいずれか一項に記載の方法。
【請求項５０】
前記空洞は、冷却線（２３５）に結合されることを特徴とする、請求項４９に記載の方法。
【発明の詳細な説明】
【技術分野】
【０００１】
本発明は、半導体リソグラフィにおける投影露光装置のための、ファセットミラーのためのファセットの製造方法並びに当該製造方法により製造されたファセットミラーと、投影露光装置と、照明系とに関する。このようなファセットミラーは、特に、作動波長１３ｎｍにおける、ＥＵＶ投影露光装置の照明系における、特殊な照度分布を提供するために用いられる。
【０００２】
この場合、照明系は、投影対物レンズの対物フィールドを形成し、均一に照らすだけではなく、投影対物レンズの瞳を形成すると同時に、固定の瞳位置に対応させ、可能な限り均一な光を照射する。瞳を光で満たすことは、用途依存性が非常に高い。従って、いわゆる従来方法に従って、おおよそ全面に、輪帯または多極照明によって、瞳を光で満たすことは、可能な限り迅速に、かつロスが少ないように行われるべきである。
【背景技術】
【０００３】
概して、結像野は矩形状であり、ＥＵＶＬ照射装置は、一般的に高アスペクト比（典型的には１０４×８ｍｍ2）の環状対物野を使用する。
【０００４】
２４８ｎｍおよび１９３ｎｍのためのＶＵＶシステムにおいては、連なって配置された非常に多くの回折素子、反射素子及び屈折素子により、フィールドおよび瞳は高精度かつ多様に形成される。一方、ＥＵＶＬシステムは、ミラーの反射特性（６０−７０％）が比較的低いので、ＥＵＶＬシステムにおいては、最小数のミラーによって、ＶＵＶシステムの場合のようにフィールドおよび瞳を高精度かつ多様に形成しなければならない。
【０００５】
ＥＵＶリソグラフィの主な問題点の一つには、充分に高い照明強度を提供することである。限られた範囲内の利用可能な光パワーを最大限に活用するために、ＥＵＶＬ照明系は、ミラーの数を低減する方向で発展すると同時に、機能性を維持し、（光を生成するコストに対するレチクル上で利用可能な強度についての）効率性を上昇させてきた。
【０００６】
近年開発および実現化されてきた照明系は、プラズマ光源、好ましくはＧＤＰＰ（ｇａｓ  ｄｉｓｃｈａｒｇｅ  ｐｒｏｄｕｃｅｄ  ｐｌａｓｍａ）光源またはＬＰＰ（ｌａｓｅｒ  ｐｒｏｄｕｃｅｄ  ｐｌａｓｍａ）光源であり、これらから発せられる光は、最初に、グレージング入射又は入射コレクタによって、可能な限り効率的に集光される。この場合、所定の光源サイズについて集光可能な光源における立体角は、概して、投影対物レンズのエタンデュ（ｅｔｅｎｄｕｅ）及び、用途における部分コヒーレンス特性により制限される。
【０００７】
他のビームコースでは、２段階反射のフライアイコンデンサが、集光器により集光された光から、フィールドと瞳とを予備形成し、その下流に位置する反射性フィールド光学系は、ビームコース下流の投影対物レンズの対応する平面に、フィールド及び瞳を最適に結像する。
【０００８】
この様な、従来技術に従う照明システムは、たとえば、米国特許公報第６４３８１９９号明細書に記載されている。この開示によれば、フィールドの成形は、第１のフィールドハニカム板上で行われる。概して、個別のフィールドハニカムは、レチクル上の照射区域に非常に近いアスペクト比又は形状を有する。従来技術に従う環状フィールドシステムにおいては、フィールドハニカムは、環状か、適切であれば、アスペクト比２６対２の矩形フィールドファセットとして形成されてもよく、このフィールドハニカムは、複数が集まって、いわゆるフィールドファセットミラーを形成する。矩形のフィールドは、適切であれば、適切なフィールドミラーによって、環状フィールドに変更してもよい。そして、フィールドハニカムプレートは、可能な限り密集した個々のファセットで覆われる。
【０００９】
ビームコースにおいて、フィールドハニカムプレートの下流にある瞳ファセットプレートは、投影対物レンズの対物レンズ瞳に関して、結合プレート内において位置づけられる。したがって、いわゆる瞳設定（ｐｕｐｉｌ  ｓｅｔｔｉｎｇ）、つまり、瞳平面内における輝度分布は、瞳ファセットプレートの照射の結果として生じる。瞳ファセットプレートは、複数の個別のミラーファセット、いわゆる瞳ファセットにより形成されるものである。瞳ファセットプレートを投影対物レンズの入射瞳内に直接設置することができない場合、下流の光学組立体は、瞳ファセットプレートを投影対物レンズの入射瞳内に正確に結像する。グレージング入射折りたたみミラーは、構造的なスペースの問題または最初の矩形フィールドの湾曲のために、下流に配置されうる。
【００１０】
概してユーザにより決定される瞳セッティングは、個々のフィールドファセットの傾斜角を適合させることにより設定される。個々の瞳ファセットの傾斜角を適合させることで、個々のチャネルに対応するサブフィールドは、レチクル面に重ね合わせられる。
【００１１】
上述のミラーファセットにおいては、数十角度秒の範囲の精度で所定の反射角を有するように構成されることと、数オングストロームの表面粗さを有する反射表面を有することが求められる。
【００１２】
可能な限り異なる照明セッティングを適用できるようにするために、フィールドファセットミラーにおいて弓形の外形を有するファセットを用いることが有利である。この方法は、更に、従来技術において必要とされるフィールド形成ミラーを省略することを可能にし、これにより、システム全体の透過率（transmission）を約５０％向上させる。しかし、角度精度が非常に高く、さらに、表面祖度が非常に低いという意味において表面精度も非常に高い弓状ミラーを製造することは非常に難しい。
【００１３】
現在のＥＵＶＬフライアイコンデンサにおけるファセットミラーは、５００もの個別に製造されたミラーファセットによって構成される。ミラーファセットは、矩形、環状、または交互に隣接していても良い。この場合、ミラーファセットは表面粗さが非常に低く、０．１〜０．２ｎｓ  ｒｍｓの範囲内でなければならない。これは、使用されるＥＵＶ光を高反射性および低散乱性の部品によって反射するためである。ミラーの反射特性は、典型的には、１０ｎｍ〜１μｍの間の空間波長を有する、いわゆる「ＨＳＦＲ（Ｈｉｇｈ  Ｓｐａｔｉａｌ  Ｆｒｅｑｕｅｎｃｙ Ｒｏｕｇｈｎｅｓｓ）」により決定され、また、散乱光は、典型的には１μｍ〜１ｍｍの範囲内の空間波長を有する、いわゆる、「ＭＳＦＲ（Ｍｉｄ  Ｓｐａｔｉａｌ  Ｆｒｅｑｕｅｎｃｙ Ｒｏｕｇｈｎｅｓｓ）」に依存する。この場合、正確な空間周波数は、光学系内におけるミラーの位置に依存して変動する。
【００１４】
フィールドファセットは、それぞれに適用された瞳ファセット上に光源の像を生成する。この目的のために、光学活性表面は一般的に球形である。散乱光成分が大きすぎれば、瞳ファセットの過剰放射により、非常に高価な光が失われてしまう。
【００１５】
このことは、フィールドファセットの傾斜角が通常値から大きく偏差した場合にも起こりうる。なぜなら、この場合、関連する瞳ファセットの中央には光が衝突せず、大部分の光点が瞳ファセットから外れてしまうからである。したがって、フィールドファセットの典型的な許容傾斜誤差は、０．５ｍｒａｄ未満である。
【００１６】
フィールドファセット末端側の幅は典型的には２ｍｍであり、これは、最大許容傾斜は１μｍであることを意味する。フィールドファセットは、典型的には１０個のファセットのブロックを形成するように結合される。設置状態の個別のファセットに許容誤差があり、側面において誤差が蓄積するので、通常、個別のファセットの許容誤差は、更に小さい。
【００１７】
この場合、瞳ファセットへの割り当ては光学的理由のための確率的要素を有するため、個別のファセットは異なる初期傾斜角を有する。
【００１８】
これは、個々のファセットの機械製造精度に、極度の要求を課すものである。したがって、現在は、ファセットは高精度研磨装置によって個別に製造される。これに対応する方法は、たとえば、国際公開第２００５／０６０８１Ａ１号パンフレットや、米国特許第６９８４０５１Ｂ２明細書に記載されている。しかし、これらの書類に記載された方法は、時間がかかるため、費用もかさみ、さらには、高精度に瞳を光で満たすための将来的なシステムにおいて要求されるような環状のファセット構造への適用は非常に困難を伴う。反射特性を増加させるために、フィールドファセットは通常、多層スタック（典型的には、ＭｏおよびＳｉにより構成される１００層の個別層が交互に積層した層）で被覆される。この場合、個別層の層厚（数ｎｍ）は傾斜角に適合され、千分の一の範囲で、すなわち数ピコメータの範囲で管理され、典型的には、ファセットが個別か、適当であればグループで被覆されなければならない。これもまた、非常に複雑であり費用のかさむ処理である。
【００１９】
上述の方法は、約１５０個のファセットを有する、初期のＥＵＶＬ雛形ツールには適用可能であったが、その後継システムの５００個のチャネルは、コスト面及び運搬の面で深刻なリスクを生じさせる。ファセット配列（ａｒｒａｙ）は、後継システムの製造において、特定の状況下で、現実的なコストでは、もはや充分に迅速には製造できない。従来技術を用いて製造されたフィールドファセット配列は、完成した光学ＥＵＶＬの中で群を抜いて高価な部品であった。
【００２０】
上述したような問題を回避する試みにおいて、ハシモトら（ＪＳＭＥ  Ｓｅｒｉｅｓ  Ｃ  Ｖｏｌ．  ４７，  Ｎｏ．３，  ２００４，  ９１６ｐｐ）は、完全なフィールドファセット配列は球体のベアリング領域を有する単体のブロックとして、許容可能な機械精度を有する５軸のフライス盤（milling machine）により製造可能であることを示した。しかし、ＥＵＶを用いる用途に適した充分な表面品質を獲得することは不可能であった。
【００２１】
ミラーファセットを連続製造するための方法は、タキノら（Ｊ．  Ｍｉｃｒｏｌｉｔｈ．，  Ｍｉｃｒｏｆａｂ．，  Ｍｉｃｒｏｓｙｓｔ．，  ｖｏｌ．３  Ｎｏ．３  Ｊｕｌｙ  ２００４，  Ｐ．  ３９６ｆｆ）に示されている。この開示では、最初に、半仕上げの製品の表面を研磨し、次いで、所望のミラーファセットを半仕上げの製品から分離する方法が提供される。しかし、この様にして製造されたミラーファセットは、反射性がＥＵＶＬ用途には低すぎるので、半仕上げの製品からミラーファセットを分離した後に、個別のミラーファセットについて多層コーティングを施さなければならない。この追加的な処理ステップにより製造コストがかさむので、上述の方法の経済的価値が著しく損なわれる。
【００２２】
さらに、独国特許第１００３０４９５号Ａ１明細書では、高精度基体をガルバニック法により製造し、その上にミラーファセットを適用するか、または、その中にミラーファセットを高精度に配置して、更に、基体をガルバニック法により成長させる方法が記載されている。しかし、特に、シリコンより構成されるミラーファセットを用いる場合には、上述の明細書に係る方法では若干問題がある。したがって、シリコンの半導体特性によれば、まず、ミラーファセットをコーティング処理して、ガルバニック法を適用可能にする必要がある。特に、上述の明細書に係る方法を適用する場合には、ミラーファセットを基体に対して配置する過程において、ミラーファセットの最終研磨済みの表面の取り扱いに明らかに困難が生じる。
【先行技術文献】
【特許文献】
【００２３】
【特許文献１】米国特許公報第６４３８１９９号明細書
【特許文献２】国際公開第２００５／０６０８１Ａ１号パンフレット
【特許文献３】米国特許第６９８４０５１号Ｂ２明細書
【特許文献４】独国特許第１００３０４９５号Ａ１明細書
【非特許文献】
【００２４】
【非特許文献１】ＪＳＭＥ  Ｓｅｒｉｅｓ  Ｃ  Ｖｏｌ．  ４７，  Ｎｏ．３，  ２００４，  ９１６ｐｐ
【非特許文献２】Ｊ．  Ｍｉｃｒｏｌｉｔｈ．，  Ｍｉｃｒｏｆａｂ．，  Ｍｉｃｒｏｓｙｓｔ．，  ｖｏｌ．３  Ｎｏ．３  Ｊｕｌｙ  ２００４，  Ｐ．  ３９６ｆｆ
【発明の概要】
【発明が解決しようとする課題】
【００２５】
したがって、本発明の目的は、ファセットミラーのためのミラーファセットを製造する方法を提供することである。この方法によれば、角度精度が高く、表面粗さの小さいミラーファセットが製造できる。さらに、本発明は、特にＥＵＶリソグラフィのための投影露光装置であって、正の光学特性を有するミラーを備える投影露光装置に関するものである。
【課題を解決するための手段】
【００２６】
かかる目的は、請求項１から１９に明記したような特性を有する装置や、請求項３６に明記したような特性を有する方法により実現される。従属請求項は、本発明の有利な変形例や、発展例に関するものである。
【００２７】
本発明に係るＥＵＶ投影露光装置は、運搬素子上に配置されたミラーファセットを有するファセットミラーを有する。この場合、ミラーファセットは２ｍｍ未満の厚みを有し、特に０．２ｍｍ〜１．２ｍｍの範囲内である。運搬素子は、複数のミラーファセット、中間部分、または、いわゆるボトムファセットに共通の基体であり、部分的に運搬体に結合されている。この場合、ミラーファセットの厚みが薄いことは、ミラーファセットが、一定の形状柔軟性を有し、ミラーファセットが配置されている運搬素子の形状に対して一定限度内において適合する。このようにして、製造過程に起因するミラーファセットにありうる形状のばらつきは、ミラーファセットの反射特性や表面品質のような光学特性が損なわれることが無いように補償することができる。
【００２８】
この場合、ミラーファセットと運搬素子との結合は、２〜１０μｍ、特に、３〜７μｍの範囲の厚さを有する半田層により実現可能である。生成される半田層が薄いほど、ミラーファセットと、運搬素子と、存在する場合には、冷却装置との間の熱伝導が良好になる。ファセットミラーは真空で操作されるので、運搬素子を介した冷却は非常に重要であり、これが無ければ、熱エネルギーは、伝導ではなく放射のみによって、周囲に発散されうる。
【００２９】
代替的には、ミラーファセットは、シリコン酸化物ブリッジ（Ｓｉｌｉｃｏｎｅ  Ｏｘｉｄｅ  Ｂｒｉｄｇｅｓ）を含む無機層によって運搬素子に結合できる。この様な層は、いわゆる「低温ボンディング」法により生成できる。この方法では、結合物同士が基本液（例えば、ＫＯＨ溶液）と、ＳｉＯ２とを用いて接触するような状態にされて、これにより上述したシリコン酸化物ブリッジが形成される。
【００３０】
代替的には、ミラーファセットは、ボンディング層や接着層によって、運搬素子に結合されても良い。
【００３１】
ミラーファセットは、特に、Ｍｏ／Ｓｉ二重層で構成される多重層の反射表面を有することもできる。
【００３２】
この場合、多重層は、１０層〜８０層、特に、５０層の二重層を有することもでき、このとき、Ｍｏ／Ｓｉ二重層の厚さは６．８〜１５ｎｍであり、Ｍｏ層の厚さは１．３〜１２ｎｍである。二重層全体の厚さは多重層のレイヤコースに対して直角に変化することは明白であり、それによりいわゆる「チャープ（ｃｈｉｒｐ）」が実現する。全反射特性は損なわれるが、これは多重層の反射特性の角度依存性を軽減する。
【００３３】
少なくとも２つのミラーファセットは共通かつ一体の基体に結合でき、この場合、運搬素子として機能する。この場合、基体は、ミラーファセットを受容するために異なる方向に向けられた領域を有する。さらには、基体への結合は、運搬素子として適切な大きさにされた中間層により形成される。
【００３４】
更に、このことは、共通かつ一体の基体上に配置されるファセットミラーの全てのミラーファセットについても同様である。
【００３５】
基体は、コーティングされていないミラーファセットと同様の素材により構成されることができ、特に、基体は少なくとも一部はＳｉで構成される。
【００３６】
ミラーファセットは、更に、ＨＳＦＲ（Ｈｉｇｈ  Ｓｐａｔｉａｌ  Ｆｒｅｑｕｅｎｃｙ）の範囲における表面粗さを０．５ｎｍ  ｒｍｓ未満、好ましくは０．２ｎｍ  ｒｍｓ未満とすることができる、光学研磨可能な素材により構成されることもできる。この場合、運搬素子は、少なくとも１００Ｗ／（ｍｋ）の熱伝導を有する素材、特に、金属素材またはＳｉＣにより構成されうる。
【００３７】
例えば、ミラーファセットはＳｉ、ＳｉＯ２、ＮｉＰまたはＮｉＰ被覆金属またはＳｉＣなどを含有しても良い。
【００３８】
システム内においてファセットミラーを配置する可能性として、ファセットミラーをＥＵＶ投影露光装置の照明システム内に配置することが考えられる。
【００３９】
特に、溝などの空洞を、ミラーファセットと運搬素子との間の領域に形成することができ、さらに、この空洞を冷却線に結合することができる。
【００４０】
ＥＵＶ投影露光装置内における本発明の代替例においては、投影露光装置が運搬素子内においてミラー素子を有し、そのミラー素子は光学研磨可能な素材により構成されうる。この場合、ＨＳＦＲ領域において、表面粗さを０．５ｎｍ  ｒｍｓ、好適には、０．１ｎｍ  ｒｍｓとすることができ、また、運搬素子は、少なくとも１００Ｗ／（ｍｋ）の熱伝導を有する素材、特に、金属素材またはＳｉＣにより構成される。
【００４１】
この場合、ミラー素子は、装置の照明システム内に配置されたファセットミラーの部品として形成されたミラーファセットでありうる。
【００４２】
ミラー素子はＳｉを含有可能であり、特に０．２〜５ｍｍの範囲、好適には、１〜３ｍｍの範囲の厚さを有しうる。Ｓｉを用いる代わりに、ミラー素子はニッケル被覆鋼鉄体として形成されることも可能である。
【００４３】
運搬素子は運搬体上に配置可能であり、可動、特に、運搬体に対して傾斜可能に設けられる。
【００４４】
運搬素子と運搬体は同一の素材から形成可能であり、特に、例えばインバー（ｉｎｖａｒ）のような鋼鉄で構成される。したがって運搬素子から運搬体への熱伝導性が向上することを補償する。運搬素子及び運搬体を、これらの接触領域においてそれぞれ研磨して構成することで熱伝導性は更に向上しうる。運搬体および／または運搬素子をＣｕまたはＡｌから製造することも考えられる。
【００４５】
ミラー素子及び運搬素子の間の熱伝導は、ミラー素子及び運搬素子を相互に半田結合で結合することにより改善されうる。これに代えて、シリコン酸化物ブリッジを含む無機層により、ミラー素子を運搬素子に結合することも考えられる。この様な層は特に低温ボンディング法によって製造されうる。この方法では、結合するもの同士が、基本溶液（例えば、ＫＯＨ溶液）とＳｉＯ２とを用いて相互に接触するような状態として、これによりシリコン酸化物ブリッジが形成されるようにする。
【００４６】
ミラー素子及び運搬素子の異なる熱膨張係数による影響の低減は、特に空洞により、具体的には、ミラー素子及び運搬素子の間に形成された溝により可能となる。これにより、相互に結合するミラー素子及び運搬素子は、全体にわたって結合するのではなく、ウェブまたは柱状突起を介して結合するようになる。この場合、ウェブまたは柱状突起は、異なる熱膨張係数の熱膨張による変形が、ミラー素子の光学活性表面に影響を及ぼさないようにするか、または、影響を低減させるという効果を有し、むしろ、変形による影響は、原則的に、ウェブまたは突起の変形により吸収される。
【００４７】
このように設けられた空洞は、冷却線に結合されて、装置を積極的に冷却することが可能になる。
【００４８】
さらに、ミラー素子をＶ字状または球状に形成することも可能であり、これにより、例えば、製造中の可能な限り早い段階において、角度オフセットを設定することが可能になる。この様にして、例えば、運搬体上の選択されたミラー素子を、運搬体に対して傾斜可能とするための条件は軽減される。
【００４９】
ミラー素子は、２ｍｍから１５ｍｍ、好適には８ｍｍから１２ｍｍの範囲内の直径を有する略環状の薄層でありうる。
【００５０】
ミラー素子の光学活性表面に対する、温度変化の影響を低減できるようにするための、代替例または他の追加の可能性は、７０ＭＰａ未満の弾性係数を有する結合素材により構成された結合層によって、相互に結合されるミラー素子及び運搬素子によって達成される。この場合、結合層は結合継ぎ手のような役割を果たす。特に、上述したような空洞と組み合わせて、更に改善された変形回避を適用できる。
【００５１】
本発明の本実施形態においても、ミラー素子は、特に、Ｍｏ／Ｓｉ二重層により形成された多重層を伴う反射表面を有してもよい。多重層は、約１０層〜８０層、特に、５０層の二重層を有し、このときＭｏ／Ｓｉ二重層の厚さは６．８〜１５ｎｍであり、Ｍｏ層の厚さは１．３ｎｍ〜１２ｎｍである。
【００５２】
本発明にかかる、ファセットミラーのための全ファセットを製造するための方法は、ミラーファセットを製造する際に、各ミラーファセットは、それぞれミラーファセットとボトムファセットとして構成される。この場合、ミラーファセットは研磨表面を有し、ボトムファセットによって基体上に配置される。この場合、基体の参照領域に対する研磨表面の角度方向はあらかじめ定められており、必要とされる角度方向の精度はミラーファセットの角度方向の測定を最初に行い、ついでボトムファセットをそれに適合させることによって達成される。
【００５３】
この場合ボトムファセットの適合は、角度測定によって、複数のあらかじめ製造されたボトムファセットから選択するか、ミラーファセットの構造に適合させるように製造することで、可能になる。
【００５４】
特に、ボトムファセットとミラーファセットはボンディング法によって相互に結合され、全ファセットを形成する。
【００５５】
同様に、ボンディング法によって、ボトムファセットを基体に結合することもできる。
【００５６】
特に、基体上に設置される前に、全ファセットは、ボンディング法によりブロックを形成するように結合される。この場合、ミラーファセットの研磨表面の角度方向は、全ファセットがブロックを形成するように結合された後に測定されうる。
【００５７】
ボトムファセットのミラーファセットに面する領域の面積が、ミラーファセットのボトムファセットに面する領域よりも大きい場合、有利である。
【００５８】
基体を、弓状に形成されうるミラーまたはボトムファセットの素材と同一の素材を選択して形成することも可能である。特に、基体か、ミラーファセットか、ボトムファセットは、シリコンを含有するように構成されうる。
【００５９】
ミラーファセットは、２ｍｍ未満、特に、０．２ｍｍ〜１．２ｍｍの厚さを有してもよい。
【００６０】
特に、ミラーファセットは、高空間周波数範囲（ＨＳＦＲ）において０．５ｎｍ  ｒｍｓ、好適には０．２ｎｍ  ｒｍｓ未満の表面粗さが達成可能な、光学研磨可能な素材により形成され、また、ボトムファセットは、特に、金属素材のような、１００Ｗ／（ｍｋ）の熱伝導率を有する素材によって構成されうる。
【００６１】
空洞は、特に、溝の形状であり、ミラーファセットとボトムファセットとの間に形成され、冷却線に結合されうる。
【００６２】
本発明にかかる方法は、非常に簡素化されたファセットミラーの製造を可能にし、したがって、製造コストを低減する。
【００６３】
以下に、表面粗さ本発明の例示的実施形態について、図面を参照して詳述する。
【図面の簡単な説明】
【００６４】
【図１】照明系を備える投影露光装置におけるファセットミラーである。
【図２】本発明に係るファセットミラーの一部を抜粋した斜視図を用いて本発明の原理を説明するものである。
【図３】本願に係る基体の斜視図である。
【図４ａ】ベアリング領域を有する基体及びミラーファセットの構成の変形例である。
【図４ｂ】ベアリング領域を有する基体及びミラーファセットの構成の変形例である。
【図５】本発明の代替実施形態である。
【図６】切り出し、具体的には溝が、ミラーファセットと運搬体との接触領域に配置されている、本発明の実施形態である。
【図７】図６に示した解決手段実施形態の代替的実施形態である。
【図８】本発明の変形例であって、本発明に係る解決手段が、例えば、EUV投影露光システムのための単一のミラーに適用された場合を示す。
【図９】基体と、基体上に配置されている全ファセットとを有するファセットミラーである。
【図１０】全ファセットがミラーファセット及びボトムファセットから構成される、本発明の変形例である。
【図１１】ミラー及びボトムファセットの表面角度の分布を示す。
【図１２】図１２ａは、研磨運搬体上におけるミラーファセットの配置を示す平面図である。図１２ｂは、研磨運搬体上におけるミラーファセットの配置を示す断面図である。
【図１３】本発明にかかる方法の変形例を示す、一目瞭然のフローチャートである。
【図１４】ミラー及びボトムファセットの構造特性を示す図である。
【図１５】結合されてブロックを形成した全ファセットを示す図である。
【図１６】基体上における全ファセットのブロックの配置を示す、第１の観察方向から見た図である。
【図１７】基体上における全ファセットのブロックの配置を示す、第１の観察方向と直角をなす第２の観察方向から見た図である。
【発明を実施するための形態】
【００６５】
図１は、照明系３０２を備える投影露光装置におけるファセットミラー３０１である。例えば、プラズマ光源のような、光源３０３からの光が、集光ミラー３０４を経て偏向し、ファセットミラー３０１上を経て、偏向ミラー３０５を経て所望の均一な照明となってレチクル３０６へと送られる。レチクル３０６のパターンは、光学素子を備える投影対物レンズ３０７（詳細には図示しない）を経て、ウェーハ３０８に転写されるが、このとき、レチクル３０６の像は、極めて縮小されて結像し、転写される。
【００６６】
図２は、本発明に係るファセットミラーの一部を抜粋した斜視図を用いて本発明の原理を説明するものである。それぞれ傾いた傾斜角を有する複数のベアリング領域１０５は、ファセットミラーの基体１００上に位置し、ミラーファセット１１０が矢印の方向に取り付けられている。ミラーファセット１１０は、基体１００と比較すると薄いという点において、図１と明確に異なる。本発明に係るミラーファセットの典型的な厚さは、約１ｍｍである。本発明に係る基体１００とミラーファセット１１０の構成によれば、ミラーファセット１１０が基体１００と結合される過程で、特定の範囲内の表面形状と、基体１００のベアリング領域１０５の方向に限定される。このようにして、製造時に決定されるミラーファセット１１０の形状偏差は、基体１００により補償される。図２に示すミラーファセットは、長さは約４０〜１００ｍｍであり、幅は約１〜１０ｍｍである。
【００６７】
図３は、本願に係る基体１００の斜視図を再度示すための図である。図３は、ベアリング領域１０５が異なる傾斜角あるいは異なる半径の曲率を有することを明確に示す。また、ベアリング領域１０５は、特に、自由形状の領域としても構成されることができる。例えば、ベアリング領域１０５は、平面あるいは円柱側面のような簡素な形状でありうる。
【００６８】
図４ａおよび図４ｂは、それぞれ、ベアリング領域１０５を有する基体１００及びミラーファセットの１１０の構成の変形例を示す。図４ａにおいては、基体１００が平坦なベアリング領域１０５を有し、その上にミラーファセット１１０が略平面である後面を面して配置されている。これとは反対に、図４ｂにおいては、基体１００は曲面のベアリング領域１０５を有し、この中に、略曲面のミラーファセット１１０が固定されている。
【００６９】
図５は、本発明の代替実施形態を示す。この場合、ミラー素子はミラーファセット２１０として形成され、判型（ｓｔａｍｐ−ｔｙｐｅ）運搬素子２００上に配置される。この場合、運搬素子２００は、運搬体２２０に設置され、概略的に示した作動装置２０７によって、運搬体２２０に対して、ミラーファセット２１０と共に傾けられうる。この場合、この実施形態においては、運搬体２２０と、運搬素子２００の両方が鋼鉄で形成される。さらには、運搬体２２０上の、運搬素子２００のベアリング領域２０８は、高精度に機械加工されるので、可能な限り最小の摩擦により、運搬体２２０内の運搬素子２００の良好な熱的接触及び可動性を補償できる。とりわけ、これにより、入射ＥＵＶ放射によるミラーファセット２１０への入熱が、運搬体２００を介して効率的に放散されて、運搬体２２０へと入ることが補償される。機械加工の容易性及び熱伝導性に関して最適なものが選択された、運搬体２２０及び運搬素子２００の素材とは対称的に、ミラーファセット２１０の素材は、表面研磨の容易性と研磨による高反射性とが得られるように選択される。この実施形態においては、ミラーファセット２１０は、インジウムをベースとした半田層により運搬体２００に結合されたシリコンによって構成される。この半田層は図４には図示しない。ミラーファセット２１０のシリコンと、運搬体２００の鉄は、相互に異なる熱膨張係数を有し、これは、図５に示す解決手段を用いることにより生じる問題を回避するのに有利である。
【００７０】
図６は、切り出し、具体的には溝２０９が、ミラーファセット２１０と運搬体２００との接触領域に配置されている、本発明の実施形態を示す。この溝２０９は、ミラーファセット２１０と運搬体２００とが全面的に接触している場合に比較して、異なる熱膨係数を有する素材の加熱に伴う圧迫と、その素材の膨張がミラーファセット２１０の反射表面に影響することを比較的抑制し、ミラーファセット２１０の光学品質が損なわれることを比較的低減するものである。図示した溝型切り出し２０９は、水のような冷却液がその間を流れるようにすることも可能にする。この場合、上述したような熱に起因する問題は更に軽減される。対応する冷却液線２３５を概略的に示す。ミラーファセット２１０及び運搬体２００に使用されうる素材の熱膨張係数は相互に大幅に異なりうるため、図６に示した解決手段は、これらへの使用に適した素材の域を超えるものである。さらにいえば、ミラーファセット２１０上に配置された複数のレイヤ２２５は、純粋に概略的に示したものであり、図６において実際の縮尺で示したものではない。
【００７１】
ミラーファセット２１０において溝型切り出し２０９が加工される図６に示した解決手段の代替的実施形態を図７に示す。図７は、判型運搬素子２００の斜視図であり、この素子は、ミラーファセット（図示しない）に面した表面に加工されたグリッド型溝構造を有する。
【００７２】
図２から図７に示した変形例は、何百ものミラーファセットを有しうるファセットミラーのためのミラーファセットに関連するものである。対照的に、図８は、本発明の変形例であって、本発明に係る解決手段が、例えば、ＥＵＶ投影露光システムのための単一のミラーに適用された場合を示す。この場合、ミラー素子２１０’は、単一のシリコン素子であって、研磨された表面を有する。この素子は、鉄で形成された運搬体２００’に適用される。この場合にも、溝型切り出し２０９’は、ミラー素子２１０’の後面に加工され、その間に冷却体を流すことができる。ミラー素子２１０’を伴う運搬体２００’は、ベアリング素子２１１上に配置される。図７に示したミラーは、ＥＵＶリソグラフィのための用途にのみ用いられうるものではなく、天体望遠鏡にも適している。
【００７３】
更なる変形例の構造関係を示すために、図９は、基体２及びそこに配置されている全ファセット５を有するファセットミラー１を示す。この場合、全ファセット５は弓状に形成され、ファセット１の基体２の上にグループになって配置されている。この場合、数百の全ファセット５は、基体２上に設置されうる。図９では、約３００の全ファセット５を例示する。
【００７４】
図１０は、上述した本発明の変形例の基本原理を示す。従来のように、左端に１０ａとして示した、単一物として生成された統合全ファセット６とは反対に、本発明に係る全ファセット５はミラーファセット３と、ボトムファセット４とにより構成されるか、または、ミラーファセット３’と、ボトムファセット４’とにより構成される。１０ｂは、基体８の参照領域において研磨表面７の間において、どのように所定の角度を設定できるかについての第一の変形例を示す。この場合、ミラーファセット３は本質的には矩形断面を有し、ミラーファセット３に面した領域が、基体８の参照領域に対して、所望の角度に向けられる。代替的には、１０ｃに示すように、ミラーファセット３’を平行四辺形に相当する断面を有するように形成することも可能である。この場合にも、研磨表面７’を基体８の参照領域に対して正確に方向付けることも可能である。
【００７５】
図１０に示す実施例において、ミラーファセット３または３’の研磨表面７または７’は、それぞれ、必要とされる表面粗さを有する。その方法によれば、ミラーファセット３または３’の表面は、それぞれ、ボトムファセット４または４’に面し、その角度について十分に正確な方向に構成できない。本発明によれば、基体８に対して研磨表面７または７’を所望に方向づけることは、ボトムファセット４または４’をそれぞれ適切に設ける（すなわち、製造または選択する）ことにより、達成される。この場合、ボトムファセットとミラーファセットの２つの表面は相互に平面そして平坦に、または、球状であり、ボトムファセット４または４’および／またはミラーファセット３または３’のぞれぞれは、シリコンで構成される。
【００７６】
ボトムファセット４ならびに４’と、ミラーファセット３ならびに３’のそれぞれの製造に際して、比較的多くのファセットを製造した場合には、最終的に加工された領域の角度は、所望の角度の周辺でガウス分布する。図１１に、これに対応する表面角度の分布を概略的に示す。ここで、実線はボトムファセットの表面の角度の変化を示し、破線はミラーファセットの表面の角度の分布を示す。理想的には、分布は一方が他方を上回ることが望ましい。この場合、例えば、所望の角度一式（図中の曲線の対称軸付近における角度）から特定の大きさだけ偏差した角度を有するミラーファセットにおいて、ボトムファセットは、基体の参照領域８に対して研磨表面７または７’が正確な方向を向くように、誤差を正確に補償する。したがって、まず、ミラーファセット３または３’の研磨表面７または７’の角度方向が、それぞれ測定され、その後、角度測定によって、適合するボトムファセット４または４’がそれぞれ選択される。したがって、製造中の不正確さに起因する誤差は、結合する２つのファセットを絶妙に選択することにより補償できる。これは、ミラーファセット３及び３’を、それぞれ、ボトムファセット４及び４’よりも多く製造した場合に有利である。これにより、反射表面７の正確の角度方向を有する、個々の所望の全ファセットを生成するために、１組も組み立てされないというような状況を回避できる。複数のファセットミラーのためのファセットを製造する場合に、いずれにしても、非常に多数のミラーファセット３及び３’と、ボトムファセット４及び４’をそれぞれ前もって製造することが必要であり、これにより、必ずしも特別に製造することは必要ではない。
【００７７】
この場合、ミラーファセット３及び３’の研磨表面７は、比較的大きい研磨ミラーと、侵食によりミラーから切り出された弓状ミラーファセットとにより生成できる。代替的には、完成した、サイズに合わせて切り出された弓状ファセットは、研磨運搬体上に密着充填して配置され、次いで、一緒に研磨される。この方法は、既に述べた方法よりも、大幅にコストパフォーマンスが良いという点で有利である。図１２は、研磨運搬体上におけるミラーファセット３の配置を示し、１２ａは、その平面図であり、１２ｂは、その断面図である。
【００７８】
上述した手順の代替手順においては、まず、ミラーファセット３または３’を選択し、それを角度方向に関して正確に測定する。それぞれの研磨表面７または７’の、基体８の参照領域に対する方向が正確となることを補償するために、角度を設定し、関連するボトムファセット４または４’の表面を加工することも可能である。ボトムファセット４または４’は、適切な角度にするために、数１０秒の精度で研磨される。
【００７９】
更なる説明のために、図１４aおよび図１４bは、ミラー及びボトムファセット３及び４のそれぞれの構造特性を示す。この場合、図１４ａは、ミラーファセット３を示し、図１４ｂは、ボトムファセット４を示す。それぞれの場合において、ｘ、ｙおよびｚの方向と対応する半径Ｒ１、と、それぞれに対応する曲線の半径Ｒ２とを示す。
【００８０】
ミラーとボトムファセットのペア３、３’、４、４’が製造された後に、これらは、全ファセットを形成するためにボンディング法を用いて結合される。この方法は、特に、シリコンのような結晶によく用いられ、この結果、良好な熱伝導性を有する、非常に固定的な永久結合が形成される。全ファセットを形成するために結合される前に、さもなければ、手順の中の他の好適な時点において、ミラーファセットはコーティングされる。図１５に示すように、全ファセットは、ブロック９を形成するように結合される。これらのブロックは図９の基体２にも見受けられる。図１５において、左側にブロック９の平面図を示し、右側に断面図を示す。有利には、ボンディング法を用いて、全ファセット５を結合してブロック９を形成しても良い。この場合、ブロック９の全ファセット５の表面の角度は、マウント後にチェックされる。全ファセット５を配置してブロック９を形成することで、組み立てに失敗した場合であっても、ファセットミラーが全体ではなく、対応するブロック９だけが不良となるという利点が生じる。各全ファセット５は固有の所定角度を有するので、ファセットミラーにおける全ファセットの間に、自然と間隙が残る。この間隙の大きさは、数十マイクロメータの範囲内である。しかし、相互に平行して延在する全ファセットの角度を相応に設定することにより、光学設計を適切に選択することで、この問題は最小化可能である。ブロック９の凝縮力と、ブロック９の間の良好な熱伝導性を補償するために、ボトムファセット４および４’は、ミラーファセット３及び３’よりもいくらか大きく製造される。この様にして、ボトムファセット４及び４’の間には間隙が残らない。ブロック９は、上述の方法により製造された後に、基体の参照領域８上に配置され、ボンディング法か、ねじ付けにより再度固定される。この場合、基体は全ファセット５と同じ素材により構成される。すなわち、本実施例においては、シリコンにより構成される。
【００８１】
図１６及び図１７は、基体２に配置した全ファセット５のブロック９の断面図であって、互いに直交する２方向から見た図である。
【図１】
2010519725.tif 000003
【図２】
2010519725.tif 000004
【図３】
2010519725.tif 000005
【図４ａ】
2010519725.tif 000006
【図４ｂ】
2010519725.tif 000007
【図５】
2010519725.tif 000008
【図６】
2010519725.tif 000009
【図７】
2010519725.tif 000010
【図８】
2010519725.tif 000011
【図９】
2010519725.tif 000012
【図１０】
2010519725.tif 000013
【図１１】
2010519725.tif 000014
【図１２】
2010519725.tif 000015
【図１３】
2010519725.tif 000016
【図１４ａ】
2010519725.tif 000017
【図１４ｂ】
2010519725.tif 000018
【図１５Ａ】
2010519725.tif 000019
【図１５Ｂ】
2010519725.tif 000020
【図１６】
2010519725.tif 000021
【図１７】
2010519725.tif 000022
【手続補正書】
【提出日】平成21年10月30日(2009.10.30)
【手続補正１】
【補正対象書類名】特許請求の範囲
【補正対象項目名】全文
【補正方法】変更
【補正の内容】
【特許請求の範囲】
【請求項１】
運搬素子（２００）上に配置されたミラー素子（２１０）を有する投影露光装置であって、
前記ミラー素子（２１０）は、ＨＳＦＲ（Ｈｉｇｈ  Ｓｐａｔｉａｌ  Ｆｒｅｑｕｅｎｃｙ）の範囲において、表面粗さを０．５ｎｍ  ｒｍｓ未満、好ましくは０．２ｎｍ  ｒｍｓ未満とすることができる、光学研磨可能な素材により構成され、
前記運搬素子（２００）は、少なくとも１００Ｗ／（ｍｋ）の熱伝導を有する素材、特に、金属素材により構成され、かつ、
前記ミラー素子（２１０）は、０．２〜５ｍｍ、特に、1〜３ｍｍの範囲の厚みを有することを特徴とする、ＥＵＶ投影露光装置。
【請求項２】
前記ミラー素子（２１０）は、前記装置の照明システム内に配置されたファセットミラーの部品として形成されたミラーファセット（２１０）であることを特徴とする、請求項１に記載のＥＵＶ投影露光装置。
【請求項３】
前記ミラー素子（２１０）は、Ｓｉを含有することを特徴とする、請求項１または２に記載のＥＵＶ投影露光装置。
【請求項４】
前記ミラー素子（２１０）は、ニッケル被覆鋼鉄体として形成されることを特徴とする、請求項１または２に記載のＥＵＶ投影露光装置。
【請求項５】
前記運搬素子（２００）は運搬体（２２０）上に配置され、可動、特に、前記運搬体（２２０）に対して傾斜可能に設けられることを特徴とする、請求項１〜４のいずれか一項に記載のＥＵＶ投影露光装置。
【請求項６】
前記運搬素子（２００）及び前記運搬体（２２０）は、同一の素材から形成されることを特徴とする、請求項５に記載のＥＵＶ投影露光装置。
【請求項７】
前記運搬素子（２００）は、インバー、ＣｕまたはＡｌ、から形成されることを特徴とする、請求項１〜６のいずれか一項に記載のＥＵＶ投影露光装置。
【請求項８】
前記ミラー素子（２１０）及び前記運搬素子（２００）は相互に半田結合で結合されることを特徴とする、請求項１〜７のいずれか一項に記載のＥＵＶ投影露光装置。
【請求項９】
前記ミラー素子（２１０）は、前記運搬素子（２００）に、シリコン酸化物ブリッジを含む無機層により結合されることを特徴とする、請求項１〜７のいずれか一項に記載のＥＵＶ投影露光装置。
【請求項１０】
特に、溝として形成される空洞が、前記ミラー素子（２１０）と前記運搬素子（２００）との間の領域に形成されることを特徴とする、請求項１〜９のいずれか一項に記載のＥＵＶ投影露光装置。
【請求項１１】
前記空洞は、冷却線（２３５）に結合されることを特徴とする、請求項１０に記載のＥＵＶ投影露光装置。
【請求項１２】
前記ミラー素子（２１０）は、Ｖ字状または球状に形成されることを特徴とする、請求項１〜１１のいずれか一項に記載のＥＵＶ投影露光装置。
【請求項１３】
前記ミラー素子（２１０）は、２ｍｍ〜１５ｍｍ、好適には８ｍｍ〜１２ｍｍの範囲の直径を有する略環状の薄層であることを特徴とする、請求項１〜１１のいずれか一項に記載のＥＵＶ投影露光装置。
【請求項１４】
前記ミラー素子（２１０）及び前記運搬素子（２００）は、７０ＭＰａ未満の弾性係数を有する結合素材により構成された結合層によって相互に結合されることを特徴とする、請求項１〜１３のいずれか一項に記載のＥＵＶ投影露光装置。
【国際調査報告】
2010519725.tif 000023
2010519725.tif 000024
2010519725.tif 000025
2010519725.tif 000026
2010519725.tif 000027